(57)【要約】本発明は、改良された遠隔操作可能な装置、特に遠隔操作可能な集中ロック装置を提供する。好ましくはハウジング(5)内に収容される電気的装置(3)とアンテナ(7)とを備えた遠隔操作可能な装置、特に自動車用の遠隔操作可能な集中ロック装置は、下記により特徴付けられる：即ち、アンテナ(7)は、ａ）可撓性を有し、それぞれ屈曲された形状で形状安定なアンテナ(7)及び／又はｂ）剛性のアンテナ(7)及び／又はｃ）固定され及び／又は形状安定な支持部材(5')又はハウジング(5)上に固定され、それにより保持されたアンテナ(7)から構成され、アンテナ(7)は、電気的装置(3)に対して及び／又は電気的装置(3)を受容するハウジング(5)又は保持する支持部材(5')に対して予め決められた位置に配置され、取扱い可能な単一の構成ユニットとして電気的装置(3)及びアンテナ(7)が組合せ装置(1)に構成される。
2005526927.tif 000002
【特許請求の範囲】
【請求項１】
好ましくはハウジング(5)内に収容される電気的装置(3)とアンテナ(7)とを備えた遠隔操作可能な装置、特に自動車用の遠隔操作可能な集中ロック装置において、
アンテナ(7)は、
ａ）可撓性を有し、それぞれ屈曲された形状で形状安定なアンテナ(7)及び／又は
ｂ）剛性のアンテナ(7)及び／又は
ｃ）固定され及び／又は形状安定な支持部材(5')又はハウジング(5)上に固定されかつ保持されたアンテナ(7)から構成され、
電気的装置(3)に対して及び／又は電気的装置(3)を受容するハウジング(5)又は保持する支持部材(5')に対して予め決められた位置にアンテナ(7)を配置し、
取扱い可能な単一の構成ユニットとして電気的装置(3)及びアンテナ(7)を組合せ装置(1)に構成したことを特徴とする遠隔操作可能な集中ロック装置。
【請求項２】
電気プラグを使用せずにアンテナ(7)と電気的装置(3)とを恒久的に互いに接続した請求項１に記載の遠隔操作可能な集中ロック装置。
【請求項３】
ハウジングを越えて突出する支持部材(5')又は基板(5')をハウジング(5)に設け又はハウジング(5)に接続し、ハウジング(5)及び／又は支持部材(5')又は基板(5')にアンテナ(7)を敷設しかつ保持した請求項１又は２に記載の遠隔操作可能な集中ロック装置。
【請求項４】
予め決められた位置にアンテナ(7)を位置決めし、固定し、保持する固定具(9)をハウジング及び／又は支持部材(5')又は基板(5')に設けた請求項１〜３の何れか１項に記載の遠隔操作可能な集中ロック装置。
【請求項５】
少なくともハウジングの一部の周りで平面図上Ｕ字形に、場合によりハウジングから間隔をあけてアンテナ(7)を敷設した請求項１〜４の何れか１項に記載の遠隔操作可能な集中ロック装置。
【請求項６】
逆Ｆ字形アンテナとしてアンテナ(7)を構成した請求項１〜５の何れか１項に記載の遠隔操作可能な集中ロック装置。
【請求項７】
曲折してアンテナを形成した請求項１〜６の何れか１項に記載の遠隔操作可能な集中ロック装置。
【請求項８】
コイル状にアンテナを形成した請求項１〜６の何れか１項に記載の遠隔操作可能な集中ロック装置。
【請求項９】
ワイヤ又は撚り線から又は基板上に形成された導電層としてアンテナ(7)を構成した請求項１〜８の何れか１項に記載の遠隔操作可能な集中ロック装置。
【請求項１０】
ダイポールアンテナからアンテナ(7)を構成した請求項１〜９の何れか１項に記載の遠隔操作可能な集中ロック装置。
【請求項１１】
ループアンテナとしてアンテナ(7)を構成した請求項１〜１０の何れか１項に記載の遠隔操作可能な集中ロック装置。
【発明の詳細な説明】
【技術分野】
【０００１】
本発明は、遠隔操作可能な装置、特に請求項１の前文による自動車用の遠隔操作可能な集中ロック装置に関するものである。
【背景技術】
【０００２】
自動車用の遠隔操作可能なロック装置に使用するアンテナ装置は、公知のように、例えば窓開口の領域に配置される。
【０００３】
しかしながら、他の取付位置も可能であり、考えられる。アンテナと共にハウジング内に収容された適宜の電子装置からなる構成要素が製造業者側から引き渡される。アンテナは、一般に、ハウジング内に挿入可能なプラグ部品を有する。取付の際に、極力良好な受信作用を実現するように、従来のように一般的な知識によって自由に敷設可能なワイヤの形態で自動車内にアンテナが敷設される。
【発明の開示】
【発明が解決しようとする課題】
【０００４】
本発明の課題は、このような遠隔操作可能な装置、特に遠隔操作可能な集中ロック装置を改良することにある。
【課題を解決するための手段】
【０００５】
上記課題は、本発明では、請求項１に示す特徴部分により解決される。本発明の有利な実施の形態を他の請求項に示す。
【発明の効果】
【０００６】
従来市場で入手できる遠隔操作可能な装置の取付によって、受信能力に関する大きな変動を確認できることが判明した。このために、最も重要な原因の一つは、取付の際の種々に敷設される好ましくはそれぞれ敷設に応じて種々の受信能力となるワイヤ形態のアンテナ要素である。受信能力の変動は、特にこのような装置の後付けにも確認できる。
【０００７】
これに対して、本発明は、比較的簡単な手段によって、予見できない明白な改良を提案する。
【０００８】
即ち、従来技術に対して、本発明による装置での明白に改良された受信能力が可能であるだけでなく、特に統計上の「過失」、即ち所定の条件のもとで受信能力が他の自動車に対して明らかに低下する取付の場合も悔やまれないことが判明した。
【０００９】
本発明による解決法は、基本的に、従来技術のような支持部材又はハウジング上に電子モジュール、即ち遠隔操作可能な装置を取り付けるが、前側で安定し又は剛性若しくは形状安定の支持部材上に保持され又は組み立てられた形状安定又は剛性のアンテナを使用する点にある。その際、更に、アンテナ自体が屈曲可能であるが、形状的に不安定な可撓性のワイヤ等ではなく、形状的に安定した材料により構成することも考えられる。しかしながら、更に、最終的に全体として形状安定なアンテナとして使用できるように、少なくとも支持部材上に保持し又は敷設する場合には、可撓性のワイヤもアンテナとして使用できる。自動車製造時のアンテナ組立では、正しい位置に電子装置を組み付ける際に、アンテナを更にその上にすべて一様に敷設する方法が採用されるからである。
【００１０】
その際、更にプラグモジュールとして装置に接続可能ではなく、装置に固定され永久的（恒久的）にアンテナを連結することが好ましい。これにより、アンテナを固定した空間的関係でのモジュールとなり、そのために常に同じ組立状態を現場で実現でき、一体に取扱い可能な小型の構成ユニットとして構成される。
【００１１】
その際、好適な実施の形態では、支持部材又はハウジング上に長手方向に所定の距離だけアンテナを敷設し又は構成する。その際、支持部材又はハウジングの一部の周りに延びて、例えば平面図にてＵ字状にアンテナを敷設することが好ましい。
【００１２】
しかしながら、別体の構成部品としてこの上にアンテナを保持し、取り付け又は敷設するのではない支持部材材料も考えられ得る。むしろ、例えば基板の意味で支持部材材料上でこれと固定して、例えばテープ状導体の形態で、連結してアンテナを構成することも可能である。その際、例えばジグザグ構造又は方形パルス形状等の種々の経路を通って、即ちいわば曲折形状に延伸させてテープ状導体を構成できる場合もある。
【００１３】
しかしながら、更に最後に、好ましくはスパイラル状のコイルを貫通し又は外側に保持される支持部材上に固定されるスパイラル状のアンテナも考えられる。
【００１４】
本発明は、いくつかの重要な利点を実現できる。
・本発明では、固有の電子要素を含む装置、例えば受信機及びアンテナから成る共通に取扱い可能な単一の組合せ装置のみが不可欠である。これにより、現場での組立時間も短縮される。
・これにより、特に遠隔操作可能な装置のハウジング周りに屈曲してアンテナを敷設し構成する場合に、全体として小型の構成を達成できる。
・追加のプラグ接続なしに又は短波（ＨＦ）伝送（ライン）として、アンテナハウジングとアンテナ要素との間を接続して、追加の損失を回避し、破損したケーブル又は破損したプラグによる回路遮断確率を低減できる点で好ましい。
・更に本発明では、従来の解決法に対して、アンテナの限定された位置と一様な電気的短波（ＨＦ）特性が生ずる。
・更に、本発明による遠隔操作可能な装置によって、自動車が振動する際に自動車の車体にアンテナが接触しないので、アンテナの振動音も回避できる。
・しかしながら、最後に、ケーブルビーム内に更なる短波（ＨＦ）伝送も不可欠ではない。
【発明を実施するための最良の形態】
【００１５】
本発明の他の利点、詳細及び特徴は、以下に図面について説明する実施の形態から明らかとなろう。
【実施例１】
【００１６】
図１は、遠隔操作可能な集中ロック装置を表わす組合せ装置1の概略斜視図を示す。
【００１７】
図示の実施の形態では、組合せ装置1は、通常ハウジング5内又は支持部材5'上に固定して組み立てられる電気的装置3、即ち無線式集中ロックモジュール3を有する。更に、図示の実施の形態では、組合せ装置1は、図１に示す概略平面図にてワイヤ、撚り線、管、中空管等から構成できるアンテナ7を含む。電気プラグを使用せずに、電気的装置3内にアンテナ7を導入して、電気的に接触させることが好ましい。
【００１８】
ハウジング容器5としても構成できるハウジング5を備えた電気的装置3の全体装置は、アンテナ7と共に共通の基板5'、即ち一般的には支持部材5'上に備えられ又は取り付けられる。これにより、変形可能なワイヤ又は撚り線からアンテナ7を構成する場合でも、支持部材又は基板5'上に設けられる固定具9により、固定して予め決められた方向に且つ実施の形態では真っ直に延びる方向に永久的にかつ確実にアンテナ7を配置できる。
【００１９】
これにより、固有の電気的装置要素3と、固定された位置及び関係で永久的に位置決めされるアンテナ7との組合せ装置1を、共通に取扱い可能な且つ全体として一体の構成ユニット13として構成できる。
【００２０】
構成ユニット13を自動車に適宜に組み込むことができ、その際、例えば接続部15を介して復調されるデータ信号を出力して最終的に集中ロック装置を作動させるために、対応する電気的接続部がハウジング5内に設けられる。
【００２１】
図２は、異なる実施の形態の概略斜視図を示す。図２に示す実施の形態では、ほぼ９０度をなす二つの折れ部21を形成しながら、電気的装置3に対して出口部19から平面図にてほぼＵ字形にハウジング5の周りにアンテナ要素7を案内して、比較的長い寸法のアンテナ要素7でも特に小型の装置に構成できる。
【００２２】
好適な実施の形態では、支持部材5又は基板5'は、電気的装置3を受容するハウジング5を構成するカバーの一部でもよい。更に、支持部材又は基板5'は、固有のハウジング5又はハウジング容器5より平面図上大きく選定される。これにより、図３に輪郭を示すように、ハウジング容器5''を越えて側方に突出する支持部材又は基板5'の部分が生じ、これにより更に、例えばワイヤ又は撚り線の形態でアンテナ7を固定して予め位置決めして敷設できる。このためにも、再び支持部材又は基板5'に設けた保持固定用ニップル9又はブリッジ9にワイヤを嵌合して、永久的に固定し保持することが好ましい。
【００２３】
図３は、例えばさらなる折曲部21によりハウジングの端面でも少なくとも再び所定の距離だけ長手方向にアンテナ要素を敷設できる概略平面図を示す。
【００２４】
図３ａ及び図３ｂは、図３の変形を示す。即ち、図３では、アンテナ7は、基本的にハウジング5の縦側面上のハウジング5の側面に対して平行に支持部材又は基板5'上に敷設される。図３ａは、図３にて矢印10に沿うハウジングの側面図を示し、図３に対して、アンテナ7をハウジング5の表面上で表面に沿って敷設する点で相違することは無論である。図３ｂの例では、ハウジングの下面にアンテナを敷設する場合も、またアンテナ又はアンテナ撚り線を固定する同様のニップル又はブリッジ9が備えられる。
【００２５】
図４に示す実施の形態では、図２及び図３に示す各例と十分に一致しないように、逆Ｆ字形アンテナ7を使用して、アンテナ要素7を敷設する。
【００２６】
図５は、好ましくは導電基板からなる例えば基板又は支持板5'上に、アンテナ7がテープ状導体要素としても又はエッチングにより残存する種々の形状に導電性のアンテナ要素を形成できることを示す。図６の実施の形態では、曲折構造に匹敵し得るアンテナ7を有する長方形状の基礎構造が選択される。
【００２７】
図６は、アンテナ要素として例えばワイヤコイルも考慮できる点のみを示す。支持部材又は基板特に導電基板上にアンテナを保持し固定することが好ましい。しかしながら、支持部材又は導電基板を通ってコイル要素の内部空間に貫通するボルト状の要素によりコイル要素を保持できる。
【００２８】
図７は、基板5'が全側面でハウジング5を越えて延伸し、基板5'上でダイポールアンテナ7を組み付けられる異なる実施の形態を示す。例えば同様に再び固定具9（固定ブリッジ、固定節等）により、再びワイヤ又は撚り線から成るダイポールアンテナ7を保持できる。
【００２９】
図８に示す実施の形態では、ダイポールアンテナ7の代わりに、ハウジング5全体の周りに基板5'上で敷設されるループアンテナを使用し、図７に示すダイポールアンテナの図に対して補完的に、接続部によりダイポールの自由端をループ状に閉じる。更なる変形も可能である。例えば、図８では、アンテナを保持する他の固定具が基板5'上に設けられるが、固定具を図示しない。
【図面の簡単な説明】
【００３０】
【図１】本発明の第一の実施の形態を示す概略斜視図
【図２】本発明の異なる実施の形態を示す斜視図
【図３】図２に対して更に僅かに異なる実施の形態を示す概略平面図
【図３ａ】図３に対して僅かに異なる実施の形態を示す側面図
【図３ｂ】図３ａに対して更に僅かに異なる実施の形態を示す図
【図４】逆Ｆ字形アンテナを備えた異なる実施の形態を示す図
【図５】導体基板上に構造形状のアンテナを備えた更に異なる実施の形態を示す図
【図６】コイルを備えた更に異なる実施の形態を示す図
【図７】ダイポールアンテナを備えた実施の形態の概略図
【図８】ループアンテナを備えた他の実施の形態を示す図
【符号の説明】
【００３１】
(1)・・組合せ装置、  (3)・・電気的装置（無線式集中ロックモジュール）、  (5)・・ハウジング、  (5')・・支持部材、  (7)・・アンテナ、  (9)・・固定具（ニップル、ブリッジ）、  (13)・・構成ユニット、  (15)・・接続部、  (19)・・出口部、  (21)・・折れ部、
【図１】
2005526927.tif 000003
【図２】
2005526927.tif 000004
【図３】
2005526927.tif 000005
【図３ａ】
2005526927.tif 000006
【図３ｂ】
2005526927.tif 000007
【図４】
2005526927.tif 000008
【図５】
2005526927.tif 000009
【図６】
2005526927.tif 000010
【図７】
2005526927.tif 000011
【図８】
2005526927.tif 000012
【手続補正書】
【提出日】平成16年3月23日(2004.3.23)
【手続補正１】
【補正対象書類名】特許請求の範囲
【補正対象項目名】全文
【補正方法】変更
【補正の内容】
【特許請求の範囲】
【請求項１】
アンテナ(7)が固定され及び／又は形状安定な支持部材(5')上に固定され且つ保持されたアンテナ(7)から構成され、
アンテナ(7)は、電気的装置(3)に対して及び／又は電気的装置(3)を受容するハウジング(5)又は電気的装置(3)を保持する支持部材(5')に対して予め決められた位置に配置され、
電気的装置(3)及びアンテナ(7)は、取扱い可能な単一の構成ユニットとして組合せ装置(1)に構成される特徴を備え、好ましくはハウジング(5)内に収容される電気的装置(3)とアンテナ(7)とを備えた遠隔操作可能な装置、特に自動車用の遠隔操作可能な集中ロック装置において、
アンテナ(7)は、逆Ｆ字形アンテナにより構成され、
逆Ｆ字形アンテナは、ワイヤ若しくは撚り線又は導電基板上に残存する導電層として構成され、
支持部材(5')は、基板(5')により構成され、
逆Ｆ字形アンテナは、基板(5')上でこれに対して平行な位置に延伸して構成されることを特徴とする遠隔操作可能な集中ロック装置。
【請求項２】
電気プラグを使用せずにアンテナ(7)と電気的装置(3)とを恒久的に互いに接続した請求項１に記載の遠隔操作可能な集中ロック装置。
【請求項３】
支持部材(5')又は基板(5')は、ハウジング(5)を越えて突出して、逆Ｆ字形アンテナ(7)は、ハウジング(5)を越えて突出する支持部材(5')に又はハウジング(5)を越えて突出する基板(5')の一部に設けられる請求項１又は２に記載の遠隔操作可能な集中ロック装置。
【請求項４】
ハウジング及び／又は支持部材(5')又は基板(5')に設けられた固定具(9)により、ワイヤ状に形成された逆Ｆ字形アンテナ(7)を予め決められた位置に位置決めし、固定しかつ保持した請求項１〜３の何れか１項に記載の遠隔操作可能な集中ロック装置。
【請求項５】
少なくともハウジング(5)の一部の周りでハウジング(5)から距離をあけて平面図にてＵ字形に敷設したアンテナ部分を逆Ｆ字形アンテナ(7)に設けた請求項１〜４の何れか１項に記載の遠隔操作可能な集中ロック装置。
【請求項６】
導電基板上の導電路として逆Ｆ字形アンテナ(7)を構成した請求項１〜５の何れか１項に記載の遠隔操作可能な集中ロック装置。
【請求項７】
支持部材(5')又は基板(5')を導電基板により構成し、その上に逆Ｆ字形アンテナ(7)を構成した請求項３〜６の何れか１項に記載の遠隔操作可能な集中ロック装置。
【国際調査報告】
2005526927.tif 000013
2005526927.tif 000014
2005526927.tif 000015
2005526927.tif 000016
2005526927.tif 000017
2005526927.tif 000018